(57)【要約】【課題】工事現場等に設置され、点滅発光して注意を喚起する工事灯において、原則としては太陽電池と充電部との組み合わせを電源として動作するが、充電部の充電量が少ない場合には、自動的に電源を切換え、乾電池を電源として動作するようにする。【解決手段】  太陽電池２３と、この太陽電池２３によって光電変換された電力を蓄える充電部２５と、乾電池１１を収容する乾電池収容部と、充電部２５の電圧が所定値以上のときは充電部２５から当該工事灯１のうちの電力を必要とする部分に電力を供給させる一方、充電部２５の電圧が所定値より低いときは、乾電池１１から当該工事灯１のうちの電力を必要とする部分に電力を供給させる電源切換部２７とを設ける。【選択図】図９
2017040097.tif 000002
【特許請求の範囲】
【請求項１】
点滅発光して注意を喚起する工事灯において、
太陽電池と、
前記太陽電池により光エネルギーから変換された電力を蓄える充電部と、
乾電池を収容する乾電池収容部と、
前記充電部の電圧が所定値以上のときは前記充電部から当該工事灯のうちの電力を必要とする部分に電力を供給させる一方、前記充電部の電圧が前記所定値より低いときは、前記乾電池収容部に収容された前記乾電池から当該工事灯のうちの電力を必要とする部分に電力を供給させる電源切換部と、
電力によって発光する発光体と、
周囲が前記発光体を発光させるべき暗さとなっているか否かを判別する明るさ判別部と、
前記発光体を駆動する発光体駆動部と、
周囲が前記発光体を発光させるべき暗さになっていると前記明るさ判別部が判別しているとき、前記発光体駆動部を介して前記発光体を駆動して点滅発光させる制御部とを有してなる工事灯。
【請求項２】
標準電波を受信する受信部をさらに有しており、
前記制御部は、前記受信部によって受信された前記標準電波に前記発光体の点滅発光のタイミングを同期させるようになっている請求項１記載の工事灯。
【請求項３】
充電部インジケータおよび乾電池インジケータをさらに有しており、
前記制御部は、所定期間の間、前記充電部の電圧が前記所定値以上のときは前記充電部インジケータを連続点灯させる一方、前記充電部の電圧が前記所定値より低いときは前記充電部インジケータを点灯せず、前記乾電池の残量が十分なときは前記乾電池インジケータを連続点灯させ、前記乾電池の残量が少なくなっているときは前記乾電池インジケータを点滅させ、前記乾電池の残量がないときは前記乾電池インジケータを点灯しない請求項１または２記載の工事灯。
【請求項４】
コーンの頂部に装着可能な工事灯であって、
上下方向に延びる円筒状をなしているとともに下端を開口されており、下端部外周に雄ねじ部（または下端部内周に雌ねじ部）を設けられている筒状部と、
上端を開口された有底円筒状をなしているとともに、内周に設けられた雌ねじ部（または外周に設けられた雄ねじ部）を前記筒状部の前記雄ねじ部（または前記雌ねじ部）に取り外し可能に螺合されている筒状部蓋部と、
前記筒状部と前記筒状部蓋部との間にこれら両者から上下方向に挟まれるようにして介装され、これら両者間をシールする第一のシール材と、
前記筒状部の上端部に一体的に設けられた外側ケース支持部と、
前記外側ケース支持部の外周に設けられた雄ねじ部（または内周に設けられた雌ねじ部）と、
透明な材料からなり、上端および下端に開口部を有するとともに、円筒状とされている下端部内周に雌ねじ部（または下端部外周に雄ねじ部）を有し、この雌ねじ部（または雄ねじ部）を前記外側ケース支持部の前記雄ねじ部（または前記雌ねじ部）に取り外し可能に螺合されている透明外側ケース主部と、
前記外側ケース支持部と前記透明外側ケース主部の下端側との間にこれら両者から上下方向に挟まれるようにして介在され、これら両者間をシールする第二のシール材と、
透明な材料からなり、前記透明外側ケース主部の上端に上下方向にねじ止めされることにより、前記透明外側ケース主部に取り付けられるとともに、前記透明外側ケース主部の上端側前記開口部を覆う透明外側ケース蓋部と、
前記透明外側ケース主部の上端側と前記透明外側ケース蓋部との間にこれら両者から上下方向に挟まれるようにして介装され、これら両者間をシールする第三のシール材と、
前記発光体、前記発光体駆動部および前記制御部を内部に収容しているとともに、前記発光体、前記発光体駆動部および前記制御部にアクセスすることができるように開けることもできる内側ケースとをさらに有し、
前記乾電池収容部は前記筒状部と筒状部蓋部とで囲まれる空間によって構成されており、
前記内側ケースは前記透明外側ケース主部と前記透明外側ケース蓋部とで囲まれる空間内に収容固定されており、
前記発光体の発光は前記内側ケース外に出射され、さらに前記透明外側ケース主部を通して外部に出射されるようになっており、
前記筒状部を前記コーンの頂部に上下方向に開けられた工事灯装着穴に挿通されることにより、前記コーンの頂部に装着可能である請求項１乃至３のいずれか１項に記載の工事灯。
【請求項５】
前記内側ケースは２つの分割された部分を有し、これらの２つの分割された部分を互いにねじ止めすることにより閉じた状態に結合可能とされており、
前記太陽電池は前記内側ケースの上面に装着されている請求項４記載の工事灯。
【発明の詳細な説明】
【技術分野】
【０００１】
本発明は、工事現場等において、コーン、バリケード等に取り付けられて設置され、点滅発光して注意を喚起する工事灯に関する。
【背景技術】
【０００２】
従来、この種の工事灯は、例えば特許文献１に示されるように、電源として、太陽電池と蓄電池等の充電部との組み合わせを使用するか、または乾電池を使用していた。
【０００３】
また、この種の工事灯は、屋外に設置されるものなので、従来は多くの場合、電子回路ないしは電気回路を内部に収容するケースは、防水を図るため、工場で電子回路ないしは電気回路を内部に収容した後、熱溶接等により密封され、その後は開けることが不可能な構造とされていた。
【先行技術文献】
【特許文献】
【０００４】
【特許文献１】特開２０００−３１９８３３号公報（段落［００３２］）
【発明の概要】
【発明が解決しようとする課題】
【０００５】
従来の工事灯においては、電源として、太陽電池と充電部との組み合わせを使用している場合には、例えば雪国のように日照が少ない場所では、充電量が不足してしまい、本来点灯すべきときに、ＬＥＤ等の発光体を点灯できないことがあるという問題があった。
【０００６】
他方、電源として乾電池を使用している場合には、乾電池の消耗が早く、乾電池の交換にかかる手間が増えるという問題があった（通常、この種の工事灯は多数設置する必要があるので、全体としてこの乾電池交換にかかる手間は膨大になる）。
【０００７】
また、従来の工事灯は、前述のように、多くの場合、電子回路ないしは電気回路を内部に収容するケースが、熱溶接等により密封されて開くことができない構造とされていたので、修理やメンテナンスを行うことができないという問題があった。
【０００８】
本発明は、このような従来の事情に鑑みてなされたもので、本発明の目的の一つは、原則としては太陽電池と充電部との組み合わせを電源として動作するが、充電部の充電量が少ない場合には、自動的に電源を切換え、乾電池を電源として動作する工事灯を提供することにある。
【０００９】
本発明の他の目的は、必要な場合には、電子回路ないしは電気回路を収容するケースを開けて修理やメンテナンスを行うことができ、しかも防水性能も優れている工事灯を提供することにある。
【００１０】
本発明のさらに他の目的は、以下の説明から明らかになろう。
【課題を解決するための手段】
【００１１】
請求項１に記載の本発明による工事灯は、
点滅発光して注意を喚起する工事灯において、
太陽電池と、
前記太陽電池により光エネルギーから変換された電力を蓄える充電部と、
乾電池を収容する乾電池収容部と、
前記充電部の電圧が所定値以上のときは前記充電部から当該工事灯のうちの電力を必要とする部分に電力を供給させる一方、前記充電部の電圧が前記所定値より低いときは、前記乾電池収容部に収容された前記乾電池から当該工事灯のうちの電力を必要とする部分に電力を供給させる電源切換部と、
電力によって発光する発光体と、
周囲が前記発光体を発光させるべき暗さとなっているか否かを判別する明るさ判別部と、
前記発光体を駆動する発光体駆動部と、
周囲が前記発光体を発光させるべき暗さになっていると前記明るさ判別部が判別しているとき、前記発光体駆動部を介して前記発光体を駆動して点滅発光させる制御部とを有してなるものである。
【００１２】
この請求項１に記載の本発明による工事灯によれば、電源切換部が、充電部の電圧が所定値以上のときは充電部から工事灯のうちの電力を必要とする部分に電力を供給させる一方、充電部の電圧が前記所定値より低いときは、乾電池から工事灯のうちの電力を必要とする部分に電力を供給させる。これにより、原則としては太陽電池と充電部との組み合わせを電源として動作するが、充電部の充電量が少ない場合には、自動的に電源を切換え、乾電池を電源として動作することになる。したがって、従来の太陽電池と充電部との組み合わせのみを電源とする工事灯の場合における、雪国のように日照が少ない場所では、充電量が不足し、本来点灯すべきときに、ＬＥＤ等の発光体を点灯できないことがあるという問題を解消できる。また、同時に、従来の乾電池のみを電源とする工事灯の場合における、乾電池の消耗が早くなり、乾電池の交換にかかる手間が増えるという問題も解消できる。
【００１３】
請求項２に記載の本発明による工事灯は、請求項１記載の工事灯において、
標準電波を受信する受信部をさらに有しており、
前記制御部は、前記受信部によって受信された前記標準電波に前記発光体の点滅発光のタイミングを同期させるようになっているものである。
【００１４】
工事灯を工事現場等に多数設置する場合、各工事灯の発光体の点滅のタイミングがバラバラであると、種々の不都合を生じる。しかるに、この請求項２に記載の本発明による工事灯によれば、複数の工事灯を設置する場合、標準電波に基づいて各工事灯の発光体の点滅のタイミングを同期させることができる。
【００１５】
請求項３に記載の本発明による工事灯は、請求項１または２記載の工事灯において、
充電部インジケータおよび乾電池インジケータをさらに有しており、
前記制御部は、所定期間の間、前記充電部の電圧が前記所定値以上のときは前記充電部インジケータを連続点灯させる一方、前記充電部の電圧が前記所定値より低いときは前記充電部インジケータを点灯せず、前記乾電池の残量が十分なときは前記乾電池インジケータを連続点灯させ、前記乾電池の残量が少なくなっているときは前記乾電池インジケータを点滅させ、前記乾電池の残量がないときは前記乾電池インジケータを点灯しないものである。
【００１６】
この請求項３に記載の本発明による工事灯によれば、ユーザーは、所定の期間の間に、充電部インジケータおよび乾電池インジケータを見ることにより、充電部および乾電池の状態を一目で知ることができる。
【００１７】
請求項４に記載の本発明による工事灯は、請求項１乃至３のいずれか１項に記載の工事灯において、
コーンの頂部に装着可能な工事灯であって、
上下方向に延びる円筒状をなしているとともに下端を開口されており、下端部外周に雄ねじ部（または下端部内周に雌ねじ部）を設けられている筒状部と、
上端を開口された有底円筒状をなしているとともに、内周に設けられた雌ねじ部（または外周に設けられた雄ねじ部）を前記筒状部の前記雄ねじ部（または前記雌ねじ部）に取り外し可能に螺合されている筒状部蓋部と、
前記筒状部と前記筒状部蓋部との間にこれら両者から上下方向に挟まれるようにして介装され、これら両者間をシールする第一のシール材と、
前記筒状部の上端部に一体的に設けられた外側ケース支持部と、
前記外側ケース支持部の外周に設けられた雄ねじ部（または内周に設けられた雌ねじ部）と、
透明な材料からなり、上端および下端に開口部を有するとともに、円筒状とされている下端部内周に雌ねじ部（または下端部外周に雄ねじ部）を有し、この雌ねじ部（または雄ねじ部）を前記外側ケース支持部の前記雄ねじ部（または前記雌ねじ部）に取り外し可能に螺合されている透明外側ケース主部と、
前記外側ケース支持部と前記透明外側ケース主部の下端側との間にこれら両者から上下方向に挟まれるようにして介在され、これら両者間をシールする第二のシール材と、
透明な材料からなり、前記透明外側ケース主部の上端に上下方向にねじ止めされることにより、前記透明外側ケース主部に取り付けられるとともに、前記透明外側ケース主部の上端側前記開口部を覆う透明外側ケース蓋部と、
前記透明外側ケース主部の上端側と前記透明外側ケース蓋部との間にこれら両者から上下方向に挟まれるようにして介装され、これら両者間をシールする第三のシール材と、
前記発光体、前記発光体駆動部および前記制御部を内部に収容しているとともに、前記発光体、前記発光体駆動部および前記制御部にアクセスすることができるように開けることもできる内側ケースとをさらに有し、
前記乾電池収容部は前記筒状部と筒状部蓋部とで囲まれる空間によって構成されており、
前記内側ケースは前記透明外側ケース主部と前記透明外側ケース蓋部とで囲まれる空間内に収容固定されており、
前記発光体の発光は前記内側ケース外に出射され、さらに前記透明外側ケース主部を通して外部に出射されるようになっており、
前記筒状部を前記コーンの頂部に上下方向に開けられた工事灯装着穴に挿通されることにより、前記コーンの頂部に装着可能であるものである。
【００１８】
この請求項４に記載の本発明による工事灯によれば、ユーザーが発光体、発光体駆動部および制御部等を含む電子回路ないしは電気回路を修理やメンテナンスしたいときは、透明外側ケース主部と透明外側ケース蓋部との間のねじ止めを外すことにより、透明外側ケース主部から透明外側ケース蓋部を外し、さらに内側ケースを開けるという簡単な作業により、修理やメンテナンスを行うことができる。
【００１９】
なおかつ、筒状部と筒状部蓋部との間には第一のシール材、外側ケース支持部と透明外側ケース主部の下端側との間には第二のシール材、透明外側ケース主部の上端側と透明外側ケース蓋部との間には第三のシール材がそれぞれ介在されているので、各部材間をシールして防水し、内部の電池および電子回路ないしは電気回路を保護することができる。
【００２０】
また、工事灯の下側部分を構成する筒状部および筒状部蓋部内に乾電池が収容されるようになっているため、乾電池の重量により工事灯が安定に支持されるようにすることができる。
【００２１】
請求項５に記載の本発明による工事灯は、請求項４記載の工事灯において、
前記内側ケースは２つの分割された部分を有し、これらの２つの分割された部分を互いにねじ止めすることにより閉じた状態に結合可能とされており、
前記太陽電池は前記内側ケースの上面に装着されているものである。
【００２２】
この請求項５に記載の本発明による工事灯によれば、内側ケースの２つの分割された部分を結合しているねじ止めを外すことにより、簡単に内側ケースを開けて修理やメンテナンスを行うことができる。また、太陽電池は、内側ケースの上面に装着されているので、太陽光を最も効率よく受光させることができる。
【発明の効果】
【００２３】
本発明による工事灯は、
（イ）原則としては太陽電池と充電部との組み合わせを電源として動作するが、充電部の充電量が少ない場合には、自動的に電源を切換え、乾電池を電源として動作する、
（ロ）発光体、発光体駆動部および制御部等を含む電子回路ないしは電気回路を収容する内側ケースを開けて修理やメンテナンスを行うことができ、しかも防水性能も優れている、
等の優れた効果を得られるものである。
【図面の簡単な説明】
【００２４】
【図１】本発明による工事灯の一実施例を示す斜視図である。
【図２】前記実施例の工事灯を示す分解斜視図である。
【図３】前記実施例の工事灯を示す正面図である。
【図４】前記実施例の工事灯を示す平面図である。
【図５】前記実施例の工事灯を示す側面図である。
【図６】図３のＶＩ−ＶＩ線における断面図である。
【図７】図４のＶＩＩ−ＶＩＩ線における断面図である。
【図８】図３のＶＩＩＩ−ＶＩＩＩ線における断面図である。
【図９】前記実施例の工事灯の電子的ないしは電気的構成を示す機能ブロック図である。
【図１０】前記実施例の工事灯をコーンに装着した状態を示す部分断面図である。
【図１１】前記実施例の工事灯をコーンの頂部に設けられた装着穴に挿通する状態を示す水平横断面図である。
【発明を実施するための形態】
【００２５】
以下、本発明を図面に示す実施例に基づいて説明する。
【実施例】
【００２６】
図１〜１１は本発明の一実施例を示している。まず、最初に図１〜８，１０および１１を参照して、本実施例の工事灯１の機械的な構成を説明する。基部２は不透明なプラスチックからなり、上下方向に延びる円筒状の筒状部３と、この筒状部３の上端部に設けられた外側ケース支持部４とを一体的に有している。前記筒状部３は上端および下端を開口されており、該筒状部３の下端部外周には図２および７に示されるように雄ねじ部５が設けられている。前記筒状部３の下端部付近の外周面には、抜け止め凸部６が一体的に設けられている。前記外側ケース支持部４は、筒状部３より大径で比較的に低い高さを有しており、該外側ケース支持部４の外周には雄ねじ部７が設けられている。また、前記外側ケース支持部４の底部は雄ねじ部７より若干外方まで突出している。
【００２７】
筒状部蓋部８は不透明なプラスチックからなり、大略上端を開口された有底円筒状をなしている。この筒状部蓋部８の内周には図２および７に示されるように雌ねじ部９が設けられており、筒状部３の雄ねじ部５に取り外し可能に螺合されている。これにより、筒状部蓋部８は筒状部３に対し着脱可能とされている。前記筒状部３と筒状部蓋部８との間には、これら両者から上下方向に挟まれるようにして、横断面円形環状の第一のシール材１０（この場合、Ｏリング）が介装され、該両者間をシールし、防水している。
【００２８】
前記筒状部３と筒状部蓋部８とで囲まれる空間は、図７および８によく示されるように、乾電池１１を収容する乾電池収容部１２を構成している。前記乾電池収容部１２に対する乾電池１１の着脱は、筒状部３に対して筒状部蓋部８を外して行うことができる。図７に示されるように、前記筒状部蓋部８の底部は外周８ａが下方に隆起し、残りの内周側部分が上方に凹陥した形状をなしている。前記筒状部蓋部８の底部には押しボタンスイッチからなる電源スイッチ１３が取り付けられており、この電源スイッチ１３の大部分は筒状部蓋部８の内部に収容されているが、該電源スイッチ１３の押しボタン部１３ａは筒状部蓋部８の中心部から外部に突出している。
【００２９】
次に、透明外側ケース主部１４および透明外側ケース蓋部１５について説明する。なお、これらのケース１４，１５は透明なプラスチックからなるので、基本的には、それらの内部に存在する物体（後述する内側ケース２１等）が透けて見えるとともに、それら自体の内面もある程度透けて見えるが、図においては、それらの内面は透けて見えないものとして描いている。これは、透けて見えるように描くと、図が極めて繁雑になってしまうとともに、肉眼で見た場合、ケース１４，１５の屈曲部や湾曲部においては光が複雑に屈折するため、それらの内面が実際の形の通りに透けて見えるわけではないので、肉眼による認識とも一致せず、わざわざ煩雑に描く意味が全くないからである。
【００３０】
前記透明外側ケース主部１４は、上端および下端に開口を有しており、上端側は横断面大略四角形状をなす一方、下端部は円筒状をなしている。この透明外側ケース主部１４の下端部内周に形成された雌ねじ部１６（図７参照）は外側ケース支持部４の雄ねじ部７に取り外し可能に螺合されている。前記透明外側ケース主部１４と外側ケース支持部４との間には、これら両者から上下方向に挟まれるようにして、横断面四角形で偏平な環状の第二のシール材１７が介装され、該両者間をシールしている。前記透明外側ケース主部１４の上端側四隅部付近には、図６によく示されるように、上下方向に延びるねじ挿通穴１８が設けられている。これらのねじ挿通穴１８の下端側は透明外側ケース主部１４の傾斜した外面に開口しているため、その下端側開口部１８ａは、横方向から見ると、図１〜３および５に示されているように長楕円形に類似した形状に見える。
【００３１】
前記透明外側ケース蓋部１５は大略四角い皿状をなしており、透明外側ケース主部１４の上端側開口を閉じるようにして、タッピンねじ１９により透明外側ケース主部１４に上下方向にねじ止めされている。前記タッピンねじ１９は、図６に示されているように、透明外側ケースのねじ挿通穴１８の下端側開口部１８ａから該ねじ挿通穴１８に挿通され、透明外側ケース蓋部１５にねじ込まれている。なお、参考までに述べると、図において、タッピンねじ１９は実線で示されているが、これらのタッピンねじ１９は透明外側ケース主部１４および透明外側ケース蓋部１５のうちの複雑に湾曲する部分に存在するので、実際に外部から肉眼で見た場合には、光の屈折のため、図のように明瞭には見えない。
【００３２】
前記透明外側ケース主部１４と透明外側ケース蓋部１５との間には、大略四角形状、大略横断面四角形状の偏平な第三のシール材２０が介装され、両者間をシールし、防水している。
【００３３】
前記透明外側ケース主部１４と透明外側ケース蓋部１５とで囲まれる空間には、不透明なプラスチックからなる内側ケース２１が、透明外側ケース主部１４および透明外側ケース蓋部１５に対して固定された状態で収容されている。前記内側ケース２１は、前側部分２１ａと後側部分２１ｂとの２つに分割されているが、製造時、後述する部品を内部に収容された後、タッピンねじ２２（図５参照）により横方向にねじ止めされて、前側部分２１ａと後側部分２１ｂとを互いに結合された状態となっている。前記内側ケース２１の上面には、太陽電池２３が取り付けられている。前記内側ケース２１内には、図７に示されているようにＬＥＤ２４（本発明における発光体）、充電部２５および緑に発光する充電部インジケータ２６が収容されているとともに、図７には明示されていないが、後で説明する図９の機能ブロック図に記載されている電源切換部２７、電源回路２８、制御部２９、赤に発光する乾電池インジケータ３０、明るさ判別部３１、ＬＥＤ駆動部３２、受信アンテナ３３、受信部３４、発振部３５、クロック発生部３６等が収容されている。前記充電部２５としては蓄電池（二次電池）やキャパシタ（コンデンサ）等を用いることができる。
【００３４】
前記ＬＥＤ２４は、前方に向けて４つ、後方に向けて４つそれぞれ設けられており（図７参照）、正面または背面から見ると、図３によく示されるようにそれぞれ９０度間隔で上下左右の４つの位置に配置されている。前記透明外側ケース主部１４の前面および後面に１つずつ設けられた大きな円形の穴３７には、レンズ支持板３８が嵌合されている。前記ＬＥＤ２４の配置に対応してレンズ支持板３８に９０度間隔で上下左右に４つずつ設けられた円形の穴３９には、各ＬＥＤ２４から発せられた光を集光するレンズ４０（ＬＥＤ２４に一体化されている）が嵌合されている。これにより、ＬＥＤ２４の発光はレンズ４０で集光されて、内側ケース２１外に出射され、さらに透明外側ケース主部１４を通して外部に出射されるようになっている。前記レンズ支持板３８の下部には、充電部インジケータ２６と乾電池インジケータ３０（図３参照）とをそれぞれ外部から見えるようにする穴４１，４２が設けられている。
【００３５】
図１０は、工事灯１をコーン４３に取り付けた状態を示している。同図に示されているように、コーン４３の頂部には上下方向に延びる工事灯装着穴４４が明けられている。図１１に示されているように、工事灯装着穴４４は基本的には横断面円形とされているが、本実施例ではその周面の１箇所に上下方向に延びる凹部４５を設けられている。そして、工事灯１は、図１１のように凹部４５に抜け止め凸部６が合致するようにして、筒状部３および筒状部蓋部８を工事灯装着穴４４に挿通することにより、コーン４３に取り付けられる。一旦前述のようにして工事灯１をコーン４３に取り付けると、図１１のように凹部４５に対し抜け止め凸部６の回転位置が完全に一致しない限り、筒状部３および筒状部蓋部８はコーン４３の工事灯装着穴４４から抜け出ることができないので、工事灯１がユーザーの意志に反してコーン４３から抜け落ちてしまうのを防止することができる。ただし、工事灯１はバリケード等のコーン以外のものに取り付けることも可能である。
【００３６】
これまで、本実施例の工事灯１の機械的な構成を説明して来たが、次に、図９に示す本実施例の工事灯１の機能ブロック図を参照して、電子回路ないしは電気回路的な観点から本実施例の工事灯１の構成をその作用とともに説明する。
【００３７】
太陽電池２３は太陽光の光エネルギを電力に変換し、その電力は充電部２５に蓄えられる。なお、本実施例では、太陽電池２３は、内側ケース２１の上面に装着されているので、太陽光を最も効率よく受光させることができる。
【００３８】
電源切換部２７は、充電部２５および乾電池１１と電源回路２８との間に介在されており、電源スイッチ１３がオンになった後は、充電部２５の電圧が所定値以上のときは充電部２５から電源回路２８に電力を供給させる一方、充電部２５の電圧が前記所定値より低いときは、乾電池１１から電源回路２８に電力を供給させる。これにより、工事灯１は、原則としては太陽電池２３と充電部２５との組み合わせを電源として動作するが、充電部２５の充電量が少ない場合には、自動的に電源を切換え、乾電池１１を電源として動作することになる。なお、充電部２５の電圧が前記所定値より低くなって乾電池１１から電源回路２８に電力が供給されるように一旦切り替わっても、その後太陽電池２３が十分に受光し、充電部２５に十分電力が蓄えられ、充電部２５の電圧が前記所定値以上に回復すれば、再び充電部２５から電源回路２８に電力が供給されるようになる。
【００３９】
電源回路２８は、充電部２５または乾電池１１から電源切換部２７を介して供給される電力をこの工事灯１の電力を必要とする各部（充電部インジケータ２６、制御部２９、乾電池インジケータ３０、明るさ判別部３１、ＬＥＤ駆動部３２、受信部３４、発振部３５、クロック発生部３６等）に供給するようになっている。
【００４０】
制御部２９は、電源スイッチ１３がオンになった後、１０秒間の間、電源切換部２７を介して充電部２５および乾電池１１の電圧をチェックし、次のように充電部インジケータ２６および乾電池インジケータ３０の点灯を制御する。すなわち、充電部２５の電圧が前記所定値以上のときは充電部インジケータ２６を緑に連続点灯させる一方、充電部２５の電圧が前記所定値より低いときは充電部インジケータ２６を点灯しない。また、乾電池１１の残量が十分なとき乾電池インジケータ３０を赤に連続点灯させ、乾電池１１の残量が少なくなっているときは乾電池インジケータ３０を赤く点滅させることにより、乾電池１１の交換が早急に必要であることを警告して乾電池１１の交換を促し、乾電池１１の残量がないときは乾電池インジケータ３０を点灯しない。なお、充電部２５の電圧が前記所定値以上でかつ乾電池１１の残量も十分なときは、充電部インジケータ２６と乾電池インジケータ３０との両方が同時に連続点灯することになる。
【００４１】
明るさ判別部３１は、一般に「昼夜判別部」とも称される部分であり、周囲の明るさを検出し、周囲がＬＥＤ２４を発光させるべき暗さとなっているか否かを判別する明暗判別信号を出力する。この明るさ判別部３１としては、例えば、ＣｄＳセル等の光センサを用いることもできるし、太陽電池２３自体の起電力を検出する回路を用いることもできる。
【００４２】
ＬＥＤ駆動部３２（本発明における発光体駆動部）はＬＥＤ２４を駆動するものである。ＬＥＤ２４の発光動作のタイミングは、後でさらに詳しく説明するように、制御部２９がＬＥＤ駆動部３２の動作を制御することにより制御される。
【００４３】
工事灯１を工事現場等に多数設置する場合、各工事灯１のＬＥＤ２４の点滅のタイミングがバラバラであると、種々の不都合を生じる。本実施例では、次のようにして、標準電波を受信し、この標準電波に基づいて各工事灯１のＬＥＤ２４の点滅のタイミングを同期させる。
【００４４】
受信アンテナ３３は標準電波送信基地局から送信されてくる標準電波を受信し、その信号は受信部３４に入力される。発振部３５は、水晶振動子等を発振源として特定の周波数（たとえば４０ｋＨｚ、６０ｋＨｚ等）の信号を生成してこれを受信部３４へと出力する。受信部３４は、発振部３５から入力された上記特定の周波数の信号を利用することにより、受信アンテナ３３から入力された信号を復調し、標準電波のタイムコード信号を取り出して制御部２９へ出力する。
【００４５】
クロック発生部３６は、クロックを生成してこれを制御部２９へと出力する。このクロックは、制御部２９に内蔵された内部時計においてカウントされるカウント値の更新に利用される。
【００４６】
制御部２９は、受信部３４から入力されたタイムコード信号を参照して所定時間ごと（例えば３０分毎）に内部時計の時刻合わせ（すなわち内部時計の時刻の修正）を行なう。そして、制御部２９は、ＬＥＤ駆動部３２の動作を制御することによりＬＥＤ２４に供給する電力を制御し、これによりＬＥＤ２４の発光動作のタイミングを制御する。具体的には、制御部２９は、前記内部時計の時刻情報に基づいて基準単位時間を検出し、この基準単位時間にしたがってＬＥＤ２４の発光動作のタイミングを制御する。これにより、本実施例では、工事灯１を工事現場等に多数設置する場合、各工事灯１のＬＥＤ２４の点滅のタイミングを同期させることができる。
【００４７】
ただし、制御部２９がＬＥＤ２４を点滅発光させるのは、周囲が暗いときのみである。すなわち、制御部２９は、明るさ判別部３１が周囲の明るさがＬＥＤ２４を発光させるべき明るさに低下したことを検出しているときのみ、ＬＥＤ駆動部３２を介してＬＥＤ２４を点滅発光させる。
【００４８】
なお、より詳しく説明すると、本実施例では、各ＬＥＤ２４はそれぞれ青およびオレンジの２色のいずれにも発光できるものとされている。そして、前記標準電波による同期が取れる前は、制御部２９は、正面または背面から見て、左右の２つのＬＥＤ２４をオレンジに点滅発光させる一方、同期が取れると、まず４つ全部のＬＥＤ２４を同時にオレンジに点滅発光させ、次に上下の２つのＬＥＤ２４のみを青に点滅発光させ、次に４つ全部のＬＥＤ２４を同時に青に点滅発光させるという一連のサイクルを繰り返すようになっている。これにより注意喚起効果が高まる。ただし、本発明においては、ＬＥＤ２４（発光体）の数、配置、発光色、点滅発光の態様は本実施例のようなものでなくてもよい。
【００４９】
この工事灯１においては、上述のように従来の工事灯と同じく、ＬＥＤ２４（発光体）の点灯や各部の動作のために電力を消費する。しかし、電源切換部２７が、充電部２５の電圧が所定値以上のときは充電部２５から電源回路２８に電力を供給する一方、充電部２５の電圧が所定値より低いときは、乾電池１１から電源回路２８に電力を供給することにより、原則としては太陽電池２３と充電部２５との組み合わせを電源として動作するが、充電部２５の充電量が少ない場合には、自動的に電源を切換え、乾電池１１を電源として動作するので、従来の太陽電池と充電部との組み合わせのみを電源とする工事灯の場合のように、雪国のように日照が少ない場所では、充電量が不足し、本来点灯すべきときに、ＬＥＤ等の発光体を点灯できないことがあるという問題を解消でき、なおかつ従来の乾電池のみを電源とする工事灯の場合のように、乾電池の消耗が早くなり、乾電池の交換にかかる手間が増えるという問題も解消できる。
【００５０】
なお、本実施例では、前述のように、電源スイッチ１３がオンになった後、１０秒間の間、充電部２５の電圧および乾電池１１の電圧がチェックされて、充電部インジケータ２６および乾電池インジケータ３０の点灯が制御されるので、ユーザーは、電源スイッチ１３投入時、インジケータ２６，３０を見ることにより、充電部２５および乾電池１１の状態を一目で知ることができる。このように充電部２５および乾電池１１の状態をインジケータ２６，３０で表示する期間は、勿論、本実施例のように電源スイッチ１３のオンから１０秒間ではなく、任意の所定期間とすることができる。
【００５１】
また、本実施例では、工事灯１を工場で組立てる際には、前側部分２１ａと後側部分２１ｂとをタッピンねじ２２で結合する前の状態において、内側ケース２１内にＬＥＤ２４、制御部２９、ＬＥＤ駆動部３２等の電子回路ないしは電気回路等を収容した後、内側ケース２１の前側部分２１ａと後側部分２１ｂとをタッピンねじ２２でねじ止めして結合する。そして、前側部分２１ａと後側部分２１ｂとを結合した内側ケース２１の上面に太陽電池２３を装着した後、内側ケース２１を透明外側ケース主部１４と透明外側ケース蓋部１５とで囲まれる空間内に収容し、透明外側ケース主部１４と透明外側ケース蓋部１５とをタッピンねじ１９によりねじ止めし、内側ケース２１を透明外側ケース主部１４と透明外側ケース蓋部１５とで囲まれる空間内に固定する。
【００５２】
しかる後に、透明外側ケース主部１４の下端部内周に形成された雌ねじ部１６を基部２の外側ケース支持部４の雄ねじ部７に螺合して、透明外側ケース主部１４に基部２を結合する。筒状部蓋部８は、前記のように透明外側ケース主部１４を基部２の外側ケース支持部４に螺合する前に、予め筒状部３に螺合しておいてもよいし、前記のように透明外側ケース主部１４を基部２の外側ケース支持部４に螺合した後に筒状部３に螺合してもよい。
【００５３】
本実施例では、ユーザーが前記電子回路ないしは電気回路を修理やメンテナンスしたいときは、透明外側ケース主部１４と透明外側ケース蓋部１５との間のタッピンねじ１９によるねじ止めを外すことにより、透明外側ケース主部１４から透明外側ケース蓋部１５を外し、さらに内側ケース２１の前側部分２１ａと後側部分２１ｂとの間のタッピンねじ２２によるねじ止めを外すという簡単な作業により、内側ケース２１を開いて電子回路ないしは電気回路にアクセスし、修理やメンテナンスを行うことができる。なお、この場合、その後の作業を楽にするため、タッピンねじ２２によるねじ止めを外す前に、最初に筒状部３を外側ケース支持部４とともに透明外側ケース主部１４に対し相対的に回転して外側ケース支持部４と透明外側ケース主部１４との螺合を外しておいてもよい。
【００５４】
なおかつ、筒状部３と筒状部蓋部８との間には第一のシール材１０、外側ケース支持部４と透明外側ケース主部１４の下端側開口部との間には第二のシール材１７、透明外側ケース主部１４と透明外側ケース蓋部１５との間には第三のシール材２０がそれぞれ介在されているので、各部材間をシールして防水し、内部の電池１１および電子回路ないしは電気回路を保護することができる。
【００５５】
また、本実施例では、工事灯１の下側部分を構成する筒状部３および筒状部蓋部８内に乾電池１１が収容されるようになっているため、乾電池１１の重量により工事灯１が安定に支持されるようにすることができる。
【００５６】
また、本実施例では、筒状部蓋部８の底部は外周８ａが下方に隆起し残りの内周側部分が上方に凹陥した形状をなしており、電源スイッチ１３は筒状部蓋部８の内周側に設けられているので、電源スイッチ１３に雨水が浸入しないようにすることができる。
【００５７】
なお、前記実施例においては、発光体としてＬＥＤ２４を用いているが、発光体としてＬＥＤ以外の電力によって発光する発光体を用いてもよい。
【００５８】
また、前記実施例では、筒状部３の下端部外周に雄ねじ部５、筒状部蓋部８の内周に雌ねじ部９を設けているが、逆に筒状部３の下端部内周に雌ねじ部、筒状部蓋部８の外周に雄ねじ部を設けてそれらを互いに螺合するようにしてもよい。同様にして、前記実施例では、外側ケース支持部４の外周に雄ねじ部７、透明外側ケース主部１４の下端部内周に雌ねじ部１６を設けているが、逆に外側ケース支持部４の内周に雌ねじ部、透明外側ケース主部１４の下端部外周に雄ねじ部を設けてそれらを互いに螺合するようにしてもよい。
【００５９】
また、前記実施例では充電部２５を内側ケース２１内に収容しているが、本発明においては、充電部は内側ケース外かつ透明外側ケース主部と前記透明外側ケース蓋部とで囲まれる空間内、筒状部と筒状部蓋部とで囲まれる空間内または外側ケース支持部内に収容してもよい。
【００６０】
また、前記実施例では、ねじ止めのためのねじとして相手材に自らねじ立てするタッピンねじ１９，２２を使用しているが、タッピンねじではなく、相手材に予め雌ねじを設けておくことが必要になるねじ（小ねじ等）を用いることもできる。
【産業上の利用可能性】
【００６１】
以上のように本発明による工事灯は、工事現場等において、コーン、バリケード等に取り付けられて設置され、点滅発光して注意を喚起する工事灯として有用である。
【符号の説明】
【００６２】
１    工事灯
２    基部
３    筒状部
４    外側ケース支持部
５    筒状部の雄ねじ部
７    外側ケース支持部の雄ねじ部
８    筒状部蓋部
９    筒状部蓋部の雌ねじ部
１０    第一のシール材
１１    乾電池
１２    乾電池収容部
１３    電源スイッチ
１４    透明外側ケース主部
１５    透明外側ケース蓋部
１６    透明外側ケース主部の雌ねじ部
１７    第二のシール材
１９    タッピンねじ
２０    第三のシール材
２１    内側ケース
２１ａ  内側ケースの前側部分
２１ｂ  内側ケースの後側部分
２２    タッピンねじ
２３    太陽電池
２４    ＬＥＤ（発光体）
２５    充電部
２６    充電部インジケータ
２７    電源切換部
２９    制御部
３０    乾電池インジケータ
３１    明るさ判別部
３２    ＬＥＤ駆動部（発光体駆動部）
３４    受信部
３５    発振部
４３    コーン
４４    工事灯装着穴
【図１】
2017040097.tif 000003
【図２】
2017040097.tif 000004
【図３】
2017040097.tif 000005
【図４】
2017040097.tif 000006
【図５】
2017040097.tif 000007
【図６】
2017040097.tif 000008
【図７】
2017040097.tif 000009
【図８】
2017040097.tif 000010
【図９】
2017040097.tif 000011
【図１０】
2017040097.tif 000012
【図１１】
2017040097.tif 000013